(57)【要約】【課題】  内視鏡用処置具の先端処置部を、挿入部に対して容易に着脱できるようにすることを目的とする。【解決手段】  内視鏡４３に装着される収容装置７０を有し、収容装置７０は、台部７２に取付取外機構部７３が設けられている。取付取外機構部７３は、収納溝を有し、収納溝内に処置部ユニット８０，９１，９５，１００，１０５を収容したときには、各処置部ユニット８０，９１，９５，１００，１０５の基端部に、挿入部ユニットと係合可能な溝部材及びフック部材が露出するようになっている。この取付取外機構部７３は、処置部ユニット８０，９１，９５，１００，１０５を挿入部ユニットに接続するときだけでなく、使用後の処置部ユニット８０，９１，９５，１００，１０５を挿入部ユニットから外すときにも使用することができる。【選択図】    図４４
2005328881.tif 000002
【特許請求の範囲】
【請求項１】
体内に挿入され、生体に処置を行う先端処置部と、
該先端処置部を作用させる操作部と、
該操作部を基端に有し、先端に前記先端処置部が着脱自在な処置具挿入部と、
前記先端処置部を内装可能で、前記先端処置部を前記処置具挿入部に取り付ける取付機構、及び前記処置具挿入部に取り付けられた前記先端処置部を取り外す取外機構を備えた収容装置と、
を備えることを特徴とする内視鏡用処置具。
【請求項２】
体内に挿入され、体内から検体を採取する先端処置部と、
該先端処置部を作用させる操作部と、
該操作部を基端に有し、先端に前記先端処置部が着脱自在な処置具挿入部と、
前記先端処置部を内装可能で、前記先端処置部を前記処置具挿入部に取り付ける取付機構を備えた収容装置と、
からなることを特徴とする内視鏡用処置具。
【請求項３】
前記収容装置は、前記処置具挿入部に取り付けられた前記先端処置部を取り外す取外機構を備えていることを特徴とする請求項２に記載の内視鏡用処置具。
【請求項４】
前記内視鏡用処置部の取付機構は、
前記先端処置部の基端に設けられた前記処置具挿入部への取付部と、該取付部を覆うように第１の弾性部材で付勢された被嵌部と、
前記収容装置に設けられ、前記先端処置部の長手方向の軸に略直角な一方向に前記先端処置部を通過可能に開口するスリットと、前記先端処置部を先端側から軸方向に付勢して前記先端処置部がスリットを通過できないように軸方向にずらすと共に、前記被嵌部を前記第１の弾性部材に抗して前記取付部に対して相対的に移動させ、前記取付部を露出させる第２の弾性部材と、
からなることを特徴とする請求項１から請求項３のいずれか一項に記載の内視鏡用処置具。
【請求項５】
前記第２の弾性部材を前記スリットに対して回動自在に支持したことを特徴とする請求項４に記載の内視鏡用処置具。
【請求項６】
前記収容装置には、複数の前記取付機構が配列されていることを特徴とする請求項１から請求項５のいずれか一項に記載の内視鏡用処置具。
【請求項７】
前記内視鏡用処置部の取外機構は、
前記先端処置部の基端に設けられた前記処置具挿入部への取付部と、該取付部を覆うように第１の弾性部材で付勢された被嵌部と、
前記収容装置に設けられ、前記先端処置部の長手方向の軸に略直角な一方向から、前記処置具挿入部に装着された前記先端処置部を通過させ、前記収容装置内に収容可能に開口するスリットと、収容された前記先端処置部を先端側から軸方向に付勢して前記先端処置部がスリットを通過できないように軸方向にずらすと共に、前記被嵌部を前記第１の弾性部材に抗して前記取付部に対して相対的に移動させ、前記取付部を露出させる第２の弾性部材と、
からなることを特徴とする請求項１又は請求項３に記載の内視鏡用処置具。
【請求項８】
前記収容装置は、内視鏡に取り付ける内視鏡取付部を有することを特徴とする請求項１から請求項７のいずれか一項に記載の内視鏡用処置具。
【請求項９】
前記収容装置は、他の前記収容装置と係合可能な引掛け部を有することを特徴とする請求項１から請求項８のいずれか一項に記載の内視鏡用処置具。
【請求項１０】
前記収容装置には、複数の前記先端処置部が内装されていることを特徴とする請求項１に記載の内視鏡用処置具。
【請求項１１】
前記複数の先端処置部は、それぞれ同一のものであることを特徴とする請求項１０に記載の内視鏡用処置具。
【請求項１２】
前記複数の先端処置部は、それぞれ異なるものであることを特徴とする請求項１０に記載の内視鏡用処置具。
【請求項１３】
生体に処置をする先端処置部を先端に備える内視鏡用処置具の処置具挿入部を挿通させるチャンネルと、
体内に挿入される挿入部と、
前記処置具挿入部の基端に設けられた操作部と、
前記処置具挿入部に前記先端処置部を取り付ける取付機構と、
前記処置具挿入部に装着された前記先端処置部を取り外す取外機構と、
を備えることを特徴とする内視鏡。
【請求項１４】
内視鏡のチャンネルに挿通される内視鏡用処置具の処置具挿入部の先端から、生体に処置をする先端処置部を着脱させる取付取外機構を有し、
前記取付取外機構は、前記処置具挿入部を収容する収納溝と、前記先端処置部をその長手方向の軸に略直角な一方向に通過可能に開口するスリットと、前記収納溝に収容された前記先端処置部を先端側から軸方向に付勢して前記先端処置部がスリットを通過できないように軸方向にずらす第２の弾性部材とを有することを特徴とする収容装置。
【発明の詳細な説明】
【技術分野】
【０００１】
本発明は、内視鏡の鉗子チャンネルに挿通されて体内から組織標本や細胞を採取するための内視鏡用処置具及び内視鏡並びに収容装置に関する。
【背景技術】
【０００２】
内視鏡用処置具は、内視鏡の鉗子チャンネルに挿通される可撓性の挿入部を有し、挿入部の先端に先端処置部が設けられている。先端処置部は操作ワイヤの進退によって作動するようになっており、操作ワイヤは、挿入部内を挿通し、挿入部の基端に設けられた操作部に接続されている。
例えば、体内から組織標本や細胞を採取するために用いられる内視鏡用処置具としては、生検鉗子などが知られている。生検鉗子は、手元からの遠隔操作により作動するリンク機構によって開閉駆動される一対の鉗子カップを有している（例えば、特許文献１、特許文献２、特許文献３参照）。ここで、これら特許文献に開示されている内視鏡用処置具は、先端処置部が挿入部に着脱自在になっており、先端処置部を交換することができるようになっている。
【特許文献１】特開平１０‐３０９２８４号公報
【特許文献２】西独国実用新案第８９０５０９９号明細書
【特許文献３】米国特許第５７８２７４８号明細書
【発明の開示】
【発明が解決しようとする課題】
【０００３】
しかしながら、この種の内視鏡用処置具では、先端処置部を装着するときには、最初に操作ワイヤと操作部とを連結させ、次に先端処置部を挿入部に固定させなければならず、先端処置部を取り外すときには、先端処置部の固定を解除してから操作ワイヤを外さなければならず、着脱作業が面倒であった。さらに、着脱作業が面倒であるために、先端処置具の交換を迅速に行えないという問題を有していた。
この発明は、このような問題に着目してなされたものであり、その目的とするところは、内視鏡用処置具の先端処置部を、挿入部に対して容易に着脱できるようにすることである。
【課題を解決するための手段】
【０００４】
上記の課題を解決する本発明の請求項１に係る発明は、体内に挿入され、生体に処置を行う先端処置部と、該先端処置部を作用させる操作部と、該操作部を基端に有し、先端に前記先端処置部が着脱自在な処置具挿入部と、前記先端処置部を内装可能で、前記先端処置部を前記処置具挿入部に取り付ける取付機構、及び前記処置具挿入部に取り付けられた前記先端処置部を取り外す取外機構を備えた収容装置と、を備えることを特徴とする内視鏡用処置具とした。
この内視鏡用処置具は、先端処置部が着脱自在に構成されており、先端処置部が収容装置内に収容されている。収容装置は、取付機構と取外機構とを備え、先端処置部を収容装置に収容した状態で、処置部挿入部に接続したり、外したりできる。
【０００５】
請求項２に係る発明は、体内に挿入され、体内から検体を採取する先端処置部と、該先端処置部を作用させる操作部と、該操作部を基端に有し、先端に前記先端処置部が着脱自在な処置具挿入部と、前記先端処置部を内装可能で、前記先端処置部を前記処置具挿入部に取り付ける取付機構を備えた収容装置と、からなることを特徴とする内視鏡用処置具とした。
この内視鏡用処置具は、検体を採取するもので、先端処置部が処置部挿入部に着脱自在に構成されている。先端処置部を収容する収容装置には、取付機構が設けられており、先端処置部を収容した状態で、処置部挿入部に接続することができる。
【０００６】
請求項３に係る発明は、請求項２に記載の内視鏡用処置具において、前記収容装置は、前記処置具挿入部に取り付けられた前記先端処置部を取り外す取外機構を備えていることを特徴とする。
この内視鏡用処置具は、収容装置に取外機構を備えるので、先端処置部を収容装置に収容した状態で、処置部挿入部から外すことができる。
【０００７】
請求項４に係る発明は、請求項１から請求項３のいずれか一項に記載の内視鏡用処置具において、前記内視鏡用処置部の取付機構は、前記先端処置部の基端に設けられた前記処置具挿入部への取付部と、該取付部を覆うように第１の弾性部材で付勢された被嵌部と、前記収容装置に設けられ、前記先端処置部の長手方向の軸に略直角な一方向に前記先端処置部を通過可能に開口するスリットと、前記先端処置部を先端側から軸方向に付勢して前記先端処置部がスリットを通過できないように軸方向にずらすと共に、前記被嵌部を前記第１の弾性部材に抗して前記取付部に対して相対的に移動させ、前記取付部を露出させる第２の弾性部材と、からなることを特徴とする。
この内視鏡用処置具では、取付機構に先端処置部を挿入すると、第２の弾性部材によって先端処置部が付勢され、取付機構のスリットの位置と先端処置部とがずれて先端処置部が抜け出せないようになる。このとき、第１弾性部材と第２弾性部材との作用によって、先端処置部の基端側には、取付部が露出するようになっている。取付部は、露出した際に処置具挿入部への取り付けが可能な構成になっているので、先端処置部を取付機構に収容させた状態で、処置具挿入部に取り付けることが可能になる。
【０００８】
請求項５に係る発明は、請求項４に記載の内視鏡用処置具において、前記第２の弾性部材を前記スリットに対して回動自在に支持したことを特徴とする。
この内視鏡用処置具では、第２の弾性部材を回動させ、スリットから起き上がらせた状態で、第２の弾性部材に先端処置部を押し当て、この状態で先端処置部をスリット内に挿入させると、先端処置部が処置部挿入部に取付可能に収容される。
【０００９】
請求項６に係る発明は、請求項１から請求項５のいずれか一項に記載の内視鏡用処置具において、前記収容装置には、複数の前記取付機構が配列されていることを特徴とする。
この内視鏡用処置具では、先端処置部を収容する取付機構が複数配列されているので、複数の先端処置部の取り付けが行えるようになる。
【００１０】
請求項７に係る発明は、請求項１又は請求項３に記載の内視鏡用処置具において、前記内視鏡用処置部の取外機構は、前記先端処置部の基端に設けられた前記処置具挿入部への取付部と、該取付部を覆うように第１の弾性部材で付勢された被嵌部と、前記収容装置に設けられ、前記先端処置部の長手方向の軸に略直角な一方向から、前記処置具挿入部に装着された前記先端処置部を通過させ、前記収容装置内に収容可能に開口するスリットと、収容された前記先端処置部を先端側から軸方向に付勢して前記先端処置部がスリットを通過できないように軸方向にずらすと共に、前記被嵌部を前記第１の弾性部材に抗して前記取付部に対して相対的に移動させ、前記取付部を露出させる第２の弾性部材と、からなることを特徴とする。
この内視鏡用処置具では、取外部に先端処置部を挿入すると、第２の弾性部材によって先端処置部が付勢され、取外部のスリットの位置と先端処置部とがずれて先端処置部が抜け出せないようになる。このとき、第1弾性部材と第２弾性部材との作用によって、先端処置部の基端側には、処置具挿入部に接続されている取付部が露出するようになっている。取付部は、露出した際に取り外しが可能な構成になっているので、処置具挿入部を取外部に収容したままで、処置具挿入部から取り外すことができる。
【００１１】
請求項８に係る発明は、請求項１から請求項７のいずれか一項に記載の内視鏡用処置具において、前記収容装置は、内視鏡に取り付ける内視鏡取付部を有することを特徴とする。
この内視鏡用処置具は、内視鏡取付部で取外部を内視鏡に取り付けることができる。このため、先端処置部を取り外す操作が楽になる。
【００１２】
請求項９に係る発明は、請求項１から請求項８のいずれか一項に記載の内視鏡用処置具において、前記収容装置は、他の前記収容装置と係合可能な引掛け部を有することを特徴とする。
この内視鏡用処置具では、複数の取外部を連結して用いることが可能になる。例えば、同じ患者から複数の検体を連続して採取する場合に有益である。
【００１３】
請求項１０に係る発明は、請求項１に記載の内視鏡用処置具において、前記収容装置には、複数の前記先端処置部が内装されていることを特徴とする。
この内視鏡用処置具では、複数の先端処置部が、取付可能な状態で待機している。
【００１４】
請求項１１に係る発明は、請求項１０に記載の内視鏡用処置具において、前記複数の先端処置部は、それぞれ同一のものであることを特徴とする。
この内視鏡用処置具では、同一の先端処置部が複数、取付可能な状態で待機している。例えば、先端処置部が消耗する場合に、取り換え作業を迅速に行える。
【００１５】
請求項１２に係る発明は、請求項１０に記載の内視鏡用処置具において、前記複数の先端処置部は、それぞれ異なるものであることを特徴とする。
この内視鏡用処置具では、異なる先端処置部が複数、取付可能な状態で待機している。例えば、複数種類の先端処置部を組み合わせて処置を行う場合に、処置を迅速に行える。
【００１６】
請求項１３に係る発明は、生体に処置をする先端処置部を先端に備える内視鏡用処置具の処置具挿入部を挿通させるチャンネルと、体内に挿入される挿入部と、前記処置具挿入部の基端に設けられた操作部と、前記処置具挿入部に前記先端処置部を取り付ける取付機構と、前記処置具挿入部に装着された前記先端処置部を取り外す取外機構と、を備えることを特徴とする内視鏡とした。
この内視鏡システムでは、内視鏡に取付機構が設けられている。このため、内視鏡側に先端処置部を取付可能な状態で待機させておくことができる。また、取外機構が設けられており、先端処置部を収容しつつ、処置部挿入部から取り外せるようになっている。
【００１７】
請求項１４に係る発明は、内視鏡のチャンネルに挿通される内視鏡用処置具の処置具挿入部の先端から、生体に処置をする先端処置部を着脱させる取付取外機構を有し、前記取付取外機構は、前記処置具挿入部を収容する収納溝と、前記先端処置部をその長手方向の軸に略直角な一方向に通過可能に開口するスリットと、前記収納溝に収容された前記先端処置部を先端側から軸方向に付勢して前記先端処置部がスリットを通過できないように軸方向にずらす第２の弾性部材とを有することを特徴とする収容装置とした。
この収容装置は、先端処置部を処置部挿入部に取付可能な状態で待機させることができるもので、先端処置部を収納溝に収容したときに、第２の弾性部材の作用によって、先端処置部の取付部を露出させるようになっている。この取付部は、処置部挿入部の先端と係合するもので、これによって先端処置部を処置部挿入部に簡単に接続することが可能になる。また、取付部を露出させることによって、接続状態にある先端処置部を処置部挿入部から簡単に外すことが可能になる。
【発明の効果】
【００１８】
本発明によれば、先端処置部を処置部挿入部に着脱自在に構成し、取付機構と取外機構とを備える収容装置を設けたので、先端処置部を収容装置に収容しつつ処置部挿入部に取り付けたり、処置部挿入部から取り外したりすることが可能になる。したがって、術者が必要に応じて先端処置部を交換することが可能になり、処置を迅速に行えるようになる。
また、体内から検体を採取する内視鏡用処置具において、先端処置部を処置部挿入部に着脱自在に構成し、先端処置部を処置部挿入部に取付可能に収容する収容装置を設けたので、術者が必要に応じて先端処置部を取り付けることが可能になり、処置を迅速に行えるようになる。
【発明を実施するための最良の形態】
【００１９】
図１乃至図３４を参照して本発明の第１実施形態を説明する。
図１は、第１実施形態における内視鏡用処置具である生検鉗子１の使用状態を示している。この生検鉗子１は、図２に示すように、互いに着脱可能な処置部ユニット（先端処置部）２と、挿入部ユニット（処置具挿入部）３と、操作部６とからなる。
挿入部ユニット３は、密巻きコイルからなる可撓性シース４を有し、可撓性シース４内には、操作ワイヤ５が挿通されている。可撓性シース４の後端は、操作部６の操作部本体７に固着されている。操作ワイヤ５の後端は、操作部本体７に摺動自在に嵌着されたスライダ８に取り付けられている。操作部本体７の後端には、指かけリング７ａが設けられている。図２に示すように、可撓性シース４の先端部には、係止部９があり、操作ワイヤ５の先端部には、フック１０が設けられている。スライダ８を進退操作すると、操作ワイヤ５を介して、フック１０が進退移動するようになっている。
【００２０】
処置部ユニット２は、密巻きコイルからなる可撓性の短シース１１を有し、短シース１１の先端には、処置部１２が取り付けられている。
処置部１２は、図３及び図４に示すように、一対の鉗子カップ１３ａ，１３ｂと、これら鉗子カップ１３ａ，１３ｂを開閉自在に支軸１４によって軸支する支持体１５と、この支持体１５内にあって鉗子カップ１３ａ，１３ｂを開閉作動させるためのパンタグラフ機構１６とで構成されている。尚、鉗子カップ１３ａ，１３ｂは、同一形状で、対向して配置されている。パンタグラフ機構１６は、鉗子カップ１３ａ，１３ｂの後方延出腕に支持ピン１７ａ，１７ｂにより関着されたリンク１８ａ，１８ｂと、このリンク１８ａ，１８ｂを連結部材１９に結合する支軸２０とで形成されている。連結部材１９には、短シース１１内に挿通された短ワイヤ２１の先端が固着されている。鉗子カップ１３ａ，１３ｂは、検体である採取組織を収容する収容部２２ａ，２２ｂを有し、収容部２２ａ，２２ｂの底部には、組織を切り取る際に組織が押しつぶされないように、孔２３ａ，２３ｂが設けられている。
短シース１１の基端には、ガイド部材２４が設けられ、ガイド部材２４には細径部２４ａが形成され、細径部２４ａの基端には、一対の溝部材２５ａ，２５ｂが形成されている。さらに、ガイド部材２４の基端には、一対の溝部材２５ａ，２５ｂを覆うように、被嵌部材（被嵌部）２６が設けられ、被嵌部材２６を基端側に付勢して溝部材２５ａ，２５ｂを覆うように、第１の弾性部材である第１バネ２７が、ガイド部材２４の細径部２４ａ外周に配されている。短ワイヤ２１の基端には、フック部材２８が設けられ、フック部材２８は、溝部材２５ａ，２５ｂの間に配置されている。
【００２１】
処置部ユニット２と挿入部ユニット３は、図５から図７に示すように接続される。
図５に示すように、処置部ユニット２の被嵌部材２６を第１バネ２７の付勢に抗して先端側へ移動させ、取付部を構成する溝部材２５ａ，２５ｂ及びフック部材２８を露出させた状態で、図６に示すように挿入部ユニット３のフック１０をフック部材２８に、係止部９の突起９ａを溝部材２５ａ，２５ｂの各溝２５ｃ，２５ｄにそれぞれ係合させる。そして、図７に示すように、被嵌部材２６を第１バネ２７によって基端側へ付勢させ、可撓性シース４に嵌合させる。処置部ユニット２と挿入部ユニット３を接続することにより、図１に示す挿入部ユニット３のスライダ８を進退操作すると、操作ワイヤ５、短ワイヤ２１及びパンタグラフ機構１６を介して、鉗子カップ１３ａ，１３ｂを開閉することができる。処置部ユニット２と挿入部ユニット３を取り外す場合は、取り付ける場合の逆の動作を行えば良い。
【００２２】
処置部ユニット２は、図８及び図９に示すような収容装置２９ａ，２９ｂに予め収容されている。なお、本実施形態の内視鏡用処置具は、少なくとも一つの収容装置２９ａ，２９ｂを備えるものとする。
収容装置２９ａ，２９ｂは、支柱３０から横方向に突き出した台部３１と、支柱３０下部に取り付けられた回収ビン（回収容器）３２とを有する。回収ビン３２には、スリット３２ａが施されたゴム栓３２ｂで蓋がされている。台部３１には、処置部ユニット２を収容する取付機構部３１ａと、取付機構部３１ａに並んで配置され、回収ビン３２の上方に位置する処置部ユニット２の取外部３１ｂとを有している。取外部３１ｂは、スリット（溝）３３が形成された係止部である。スリット３３は、可撓性シース４の外径より大きく、被嵌部材２６の外径より小さい寸法に形成されている。
【００２３】
台部３１の両脇には、相互に係合可能な引掛け部３４ａ，３４ｂが設けられている。図１０及び図１１に示すように、収容装置２９ａ，２９ｂは、引掛け部３４ａ，３４ｂを相互に係合させることにより、台部３１を並べて配置することができる。また、収容装置２９ｂにおいては、台部３１の上方に、内視鏡を取り付ける取付部（内視鏡取付部）３５が設けられている。
図９及び図１２に示すように、台部３１の取付機構部３１ａには、処置部ユニット２の収納部３６が形成されている。収納部３６は、受け部３７に接続された第２の弾性部材である第２バネ３８を収容する収納溝３９（図１２参照）と、スリット４０を有し、収納溝３９の上に被せる蓋材４１と、処置部ユニット２の溝部材２５ａ，２５ｂ及びフック部材２８が露出して配置される取付場４２とから構成されている。蓋材４１のスリット４０は、処置部ユニット２が通過可能で、処置部ユニット２に類似した形状に形成されている。つまり、処置部ユニット２は、短シース１１外径より支持体１５、鉗子カップ１３ａ，１３ｂ及び被嵌部材２６が大径に形成されており、スリット４０は、短シース１１が通過可能な細幅部４０ａと、支持体１５、鉗子カップ１３ａ，１３ｂが通過可能な大幅部４０ｂと、被嵌部材２６が通過可能な大幅部４０ｃとから形成されている。
【００２４】
図１３に示すように、処置部ユニット２は、収納溝３９内で、第２バネ３８によって基端方向へ付勢され、被嵌部材２６は収納溝３９の端部の係止端３９ａで係止され、第１バネ２７を圧縮して溝部材２５ａ，２５ｂ及びフック部材２８を相対的に移動させて、取付場４２に露出させる。このようになるように、第２バネ３８は第１バネ２７よりも強い弾性を有している。そして、図１４に示すように、蓋材４１を被せた状態では、第２バネ３８によって蓋材４１に形成されたスリット４０の形状と処置部ユニット２の外形とがずれて、処置部ユニット２と蓋材４１とが重なるような重複部４１ａが発生し、処置部ユニット２がスリット４０を通過しないようになり、処置部ユニット２が収納部３６から外れないようになっている。つまり、取付機構部３１ａは、自然状態で処置部ユニット２をその軸線方向に直角な方向（図９において上方）には抜き出せないように処置部ユニット２を収容するようになっている。
【００２５】
次に、このような構成の生検鉗子システム１の作用について説明する。
まず、図１５に示すように、内視鏡４３の鉗子口４３ａに、取付部３５を有する収容装置２９ｂを引掛けて取り付ける。生検を複数回行う場合には、図１６に示すように、収容装置２９ｂの引掛け部３４ｂの凹部に、収容装置２９ａの引掛け部３４ａの凸部を係合させて固定する。なお、収容装置２９ａは、生検に必要な数だけ取り付けられる。
また、収容装置２９ａ，２９ｂの回収ビン３２内には、ホルマリン液などの固定液４４を入れておく。
【００２６】
次いで、図１７のように、挿入部ユニット３の先端近傍を把持して、先端の係止部９及びフック１０を、収容装置２９ｂの取付場４２に露出している処置部ユニット２の溝部材２５ａ，２５ｂ及びフック部材２８の上方より係合させる。即ち、図１８のように、フック１０とフック部材２８とを係合させ、溝部材２５ａ，２５ｂの各溝２５ｃ，２５ｄに係止部９の突起９ａをそれぞれ係合させる。そして、図１９に示すように、挿入部ユニット３を処置部ユニット２の軸方向前方に押し込む。
すると、図２０のように、押し込む力によって、収容装置２９ｂ内の第２バネ３８が圧縮され、第１バネ２７は伸びて被嵌部材２６の位置を維持した状態で、処置部ユニット２の先端が前進する。それによって、被嵌部材２６は、処置部ユニット２と挿入部ユニット３の接続部（フック１０など）及び挿入部ユニット３の可撓性シース４の端部を覆い、処置部ユニット２の外形が、収容装置２９ｂの蓋材４１のスリット４０外形と一致する。そして、その状態で、図２１及び図２２に示すように、上方に向けて引くことにより、処置部ユニット２は挿入部ユニット３の先端に接続された状態で収容装置２９ｂのスリット４０を通過して外れ、処置部ユニット２の接続が完了する。
【００２７】
次に、処置部ユニット２の接続が完了した生検鉗子１を、図２３に示すように内視鏡４３の処置具挿通チャンネルに挿入して、内視鏡４３で観察しながら、その先端の処置部１２を目的の検査すべき組織に近づけ、図１に示す指かけリング８ａに親指を差し入れ、人指し指と中指とでスライダ８を挟んで前進させる。すると、これによって図３に示すパンタグラフ機構１６が作動して鉗子カップ１３ａ，１３ｂが開く。次に、鉗子カップ１３ａ，１３ｂが開いた状態で生検鉗子１を組織に押し付け、スライダ８を後退させるとことにより鉗子カップ１３ａ，１３ｂを閉じ、組織を鉗子カップ１３ａ，１３ｂの収容部２２ａ，２２ｂ内に収容する。そして、鉗子カップ１３ａ，１３ｂを完全に閉じたら、生検鉗子１全体を引っ張り、組織の採取を完了する。
その後、生検鉗子１を内視鏡４３の処置具挿通チャンネルから抜去し、次いで、図２４に示すように、生検鉗子１の先端を収容装置２９ｂのゴム栓３２ｂのスリット３２ａから回収ビン３２内に差し込む。図２５に示すように、処置部ユニット２の被嵌部材２６が収容装置２９ｂの台部３１の下にくるように可撓性シース４を収容装置２９ｂのスリット３３に挿入し、図２６に示すように可撓性シース４を上方へ引き上げる。すると、図２７のように、被嵌部材２６は、台部３１の底面に当接して引っ掛かり、図２８に示すように、第１バネ２７が圧縮されて処置部ユニット２と挿入部ユニット３の接続部が露出する。これにより、図２９及び図３０に示すように、挿入部ユニット３を処置部ユニット２から取り外し、処置部ユニット２のみを回収ビン３２に残すことができる。採取した組織は、図３１のように、収容装置２９ｂごと、標本の処理を行う人に渡せばよい。
【００２８】
また、図３２のように、ビン５６などを用いて、中の短ワイヤ２１を押し、鉗子カップ１３ａ，１３ｂを開いて、採取組織４５を固定液４４内に落としても良い。
尚、生検を複数回行う場合には、上記作用を繰り返して行えば良い。この場合、図３３及び図３４に示すように、内視鏡４３に取り付けた収容装置２９ｂに取り付けた収容装置２９ａから使用すると良い。そうすれば、１回の生検が終了する毎に取り外して標本の処理に回すことが可能である。
【００２９】
本実施形態によれば、挿入部ユニット３に対して処置部ユニット２を着脱自在に構成すると共に、処置部ユニット２の取付機構部３１ａや、取外部３１ｂ、回収ビン３２を備える収容装置２９ａ，２９ｂを有し、組織を採取した処置部ユニット２を回収ビン３２に挿入した状態で、挿入部ユニット３から取り外せるようにしたので、組織採取が迅速に行え、特に複数回の採取を行う場合に、採取組織の処理を待たずに次の採取を行えるため、組織採取が迅速に行える。
ここにおいて、取外部３１ａは、スリット３３に挿入部ユニット３を挿入した状態で上方に引き上げるだけで、フック部材２８及び溝部材２５ａ，２５ｂといった処置部ユニット２の取付部を露出させることができるので、簡単な構成で、内視鏡操作者が片手で取り外しを行えるようになる。
なお、生検鉗子１は、収容装置２９ａ，２９ｂを含まなくても良い。
【００３０】
図３５乃至図３８は本発明の第２実施形態を示すものである。
図３５に示すように、本実施形態では、収容装置４６が第１実施形態と異なる。本実施形態の収容装置４６では、下端に枠４６ａが設けられ、枠４６ａに回収ビン４７がピン４８ａ，４８ｂ（図３６参照）により左右に揺動可能に設けられている。また、図３６及び図３７に示すように、回収ビン４７のゴム栓４９には、採取組織取出し具５０が形成されている。採取組織取出し具５０は、処置部ユニット２の鉗子カップ１３ａ，１３ｂの孔２３ａ，２３ｂから鉗子カップ１３ａ，１３ｂの収容部２２ａ，２２ｂ内に進入し、採取組織４５を押し出す突起部５０ａ，５０ｂを有している。それ以外の構成は、第１実施形態と同じである。
【００３１】
生検後、処置部ユニット２を挿入部ユニット３から外して回収ビン４７に残し、回収ビン４７内で鉗子カップ１３ａ，１３ｂを開く。すると、採取組織取出し具５０の突起部５０ａ，５０ｂが収容部２２ａ，２２ｂ内に進入し、採取組織４５を押し出す。この状態で、図３８に示すように、回収ビン４７を左右に揺らすと採取組織４５は、鉗子カップ１３ａ，１３ｂから外れる。これにより、採取組織を固定液４４中に容易に落とすことができる。
【００３２】
この実施の形態によれば、第１実施形態と同様の効果が得られる。さらに、回収ビン４７が揺動可能に設けられ、採取組織取出し具５０を備えるので、組織を処置部ユニット１２から脱離させ易い。このため、回収ビン３２のゴム栓３２ｂを外せば、そのまま組織を取り出すこともできる。
【００３３】
図３９乃至図４２は本発明の第３実施形態を示すものである。
本実施形態は細胞診ブラシ５１である。この細胞診ブラシ５１の処置部ユニット５２は、フッ素チューブなどの樹脂からなり、先端側に大径部５３ａが形成された短シース５３と、短ワイヤ２１の先端に設けられ、ナイロン（デュポン社の商標）などの繊維からなる細胞採取部材としてのブラシ５４を有し、ブラシ５４の先端には、短シース５３の大径部５３ａの外径とほぼ同径の先端チップ５５が設けられている。ブラシ５４は、短シース５３の大径部５３ａ内に収納され、スライダ８を前進させると、操作ワイヤ５及び短ワイヤ２１を介して、ブラシ５４が図４０に示すように短シース５３先端から突出する。それ以外の構成は、第１実施形態と同様である。
この実施形態の作用及び効果は、体腔内でブラシ５４を短シース５３先端から突出させて、目的部位をブラシ５４で擦過して細胞を採取する点のみが第１実施形態と異なる。
【００３４】
図４３は本発明の第４実施形態を示すものである。
図４３に示すように、内視鏡６０は、鉗子口４３ａの下方に収容装置６１が取り付けられている。収容装置６１は、台部３１と、支柱３０とを有し、支柱３０の下部のホルダ６２には回収ビン３２が着脱自在に挿入されている。その他の構成は、第１実施形態と同様である。
この内視鏡６０では、収容装置６１が固定されているので、取り扱いが容易である。また、回収ビン３２のみを取り出して、標本の処理を行う人に渡せばよいので、処理が容易である。その他の作用及び効果は、第１実施形態と同じである。
【００３５】
図４４乃至図６１は本発明の第５実施形態を示すものである。
まず、図４４及び図４５に本実施形態における収容装置７０を示す。収容装置７０は、内視鏡４３に取り付けられる取付部（内視鏡取付部）３５を有している。取付部３５の下端部には、台部７２が内視鏡４３の軸線に直交する方向に延設されている。台部７２には、処置部ユニット８０、９１，９５，１００，１０５を収容する取付取外機構部７３が所定の間隔で複数配列されている。各取付取外機構部７３は、第１実施形態の取付機構部３１ａ（図９参照）と同様に構成されている。これら取付取外機構部７３には、取付部３５の下側から、処置部ユニット８０、処置部ユニット９１、処置部ユニット９５、処置部ユニット１００、処置部ユニット１０５が順番に収容されている。
【００３６】
図４６乃至図６０には、これら複数種類の内視鏡用処置具の構成が図示されている。
図４６は、内視鏡用処置具である針状ナイフ８１の使用状態を示している。この針状ナイフ８１は、互いに着脱可能な処置部ユニット（先端処置部）８０と、挿入部ユニット（処置具挿入部）８２と、操作部８３とからなる。
挿入部ユニット８２は、密巻きコイルからなる可撓性シース４の外周を絶縁性のシース８４で覆っており、可撓性シース４内には、操作ワイヤ５が挿通されている。挿入部ユニット８２の後端は、操作部８３の操作部本体７に固着されている。操作ワイヤ５の後端は、操作部本体７ａに摺動自在に嵌着されたスライダ８に取り付けられている。なお、スライダ８には、コネクタ８５が取り付けられている。コネクタ８５は、高周波電源（不図示）からのコードが接続され、操作ワイヤ５及び短ワイヤ２１を介して所定の電力を処置部ユニット８０に供給できるようになっている。この場合の操作ワイヤ５及び短ワイヤ２１は、導電性材料から製造されており、駆動力伝達手段であると共に、通電手段としても機能する。
【００３７】
図４６乃至図４９に示すように、処置部ユニット８０は、絶縁材で形成された可撓性の短シース８６を有し、短シース８６の先端には、短シース８６よりも大径の拡径部８７が設けられている。拡径部８７は、その先端に縮径した開口部８７ａが形成されており、開口部８７ａ近傍の内周面には、円筒状の保持部材８８が取り付けられている。さらに、拡径部８７内には、保持部材８８を貫通するように、処置部となる針状の切開ナイフ部８９が収容されている。切開ナイフ部８９の基端は、固定部材９０によって短ワイヤ２１の先端に固定されている。つまり、操作ワイヤ５を前進させると、短ワイヤ２１が前進し、図４９に示すように、切開ナイフ部８９の先端が拡径部８７の先端から突出するようになっている。ここで、固定部材９０の外径は、短シース８６の内径及び保持部材８８の内径よりも大きくなっており、固定部材９０によって切開ナイフ部８９が進退する際の移動量が規制されるようになっている。なお、処置部ユニット８０は、被嵌部材２６が電気絶縁性の部材で形成されるか、電気絶縁コーティングが施されるかしてある。その他の構成は、第３実施形態と同様になっている。なお、短シース８６は、挿入部ユニット８２のように、密巻きコイルからなる可撓性シースの外周に絶縁性シースを被覆して形成しても良い。
【００３８】
図５０は、別の形態の高周波ナイフ９２の使用状態を示している。この高周波ナイフ９２の挿入部ユニット８２及び操作部８３は、針状ナイフ８１と共用される。また、図５０及び図５１に示すように、処置部ユニット９１は、拡径部８７に出没自在に収容される切開ナイフ部９３（処置部）が棒状に設けられ、切開ナイフ部９３の先端に絶縁チップ９４が取り付けられている。その他の構成は、針状ナイフ８１と同様になっている。
【００３９】
図５２は、内視鏡用処置具であるフック型ナイフ９６の使用状態を示している。このフック型ナイフ９６の挿入部ユニット８２及び操作部８３は、針状ナイフ８１と共用される。また、図５２及び図５３に示すように、処置部ユニット９５は、拡径部８７に出没自在に収容される切開ナイフ部９７を有している。この切開ナイフ部９７は、その先端が略Ｌ字形状に屈曲させられている。その他の構成は、針状ナイフ８１と同様になっている。
【００４０】
図５４は、内視鏡用処置具である把持鉗子１０１の使用状態を示している。この把持鉗子１０１の挿入部ユニット８２及び操作部８３は、針状ナイフ８１と共用される。また、図５４乃至図５６に示すように、処置部ユニット１００は、密巻きコイルの外周を絶縁性シースで被覆した短シース１０４を有し、この短シース１０４の先端に支持部１５が設けられ、支持部１５には一対の把持部材１０２が支軸１４によって開閉自在に設けられている。各把持部材１０２は、長さ方向に沿って複数の鰐歯が配列されており、一対の把持部材１０２はこれら鰐歯が噛み合うように対向して配置され、パンタグラフ機構１６を介して短ワイヤ２１に接続されている。その他の構成は、第１実施形態と同様である。
【００４１】
図５７は、内視鏡用処置具である高周波凝固子１０６の使用状態を示している。この高周波凝固子１０６の挿入部ユニット８２及び操作部８３は、針状ナイフ８１と共用される。また、図５７及び図５８に示すように、処置部ユニット１０５は、拡径部８７の先端に焼灼部１０７が取り付けられている。この焼灼部１０７には、短ワイヤ２１が電気的に接続されている。その他の構成は、針状ナイフ８１と同様になっている。
【００４２】
これら内視鏡用処置具８１，９２，９６，１０１，１０６の作用について粘膜切除を例にして説明する。なお、処置に先立って、注射針などを用いて粘膜に生理食塩水を注入し、切除する粘膜及びその周辺部を予め膨隆させてあるものとする。
最初に、針状ナイフ８１で初期切開を行う。即ち、図４４に示すように、内視鏡４３の鉗子口４３ａに、取付部３５を有する収容装置７０を引掛けて取り付け、１番目の取付取外機構部７３に収容されている針状ナイフ８１の処置部ユニット８０を挿入部ユニット８２に接続する。接続の手順は、第１実施形態と同じである。
次に、処置部ユニット８０を接続した針状ナイフ８１を、内視鏡４３の処置具挿通チャンネルに挿入して、内視鏡４３で観察しながら、その先端を切除対象となる粘膜に近づける。そして、スライダ８を前進させ、切開ナイフ部８９を拡径部８７から突出させ、組織に押し付ける。コネクタ８５に高周波電源からのコードを接続し、切開ナイフ部８９に通電して、粘膜を切開する。初期切開が終了したら、通電をやめ、スライダ８を後退させて、切開ナイフ部８９を拡径部８７内に収容する。さらに、針状ナイフ８１全体を引っ張り、内視鏡４３から抜去する。
【００４３】
針状ナイフ８１の処置部ユニット８０を挿入部ユニット８２から取り外す際には、１番目の開いている取付取外機構部７３の収納溝３９に処置部ユニット８０を挿入する。即ち、受け部３７に処置部ユニット８０の拡径部８７の先端を押し当てて、第２バネ３８を圧縮させつつ、図５９に示すようにスリット４０から収納溝３９内に処置部ユニット８０を挿入させる。この後、第２バネ３８を圧縮させていた力を取り除くと、図６０に示すように、第２バネ３８が復元し、処置部ユニット８０が取付場４２側に移動させられる。このとき、被嵌部材２６は、係止端３９ａで係止されるが、溝部材２５ａ，２５ｂ及びフック部材２８と、これに係合されている挿入部ユニット８２側の係止部９及びフック１０とは、係止端３９ａ間を通り、取付場４２に露出する。このため、挿入部ユニット８２を上方（収納溝３９の長さ方向に略直交する方向）に引き上げれば、溝部材２５ａ，２５ｂと係止部９との係合が解かれ、フック１０とフック部材２８との係合が解かれ、処置部ユニット８０が挿入部ユニット８２から取り外される。
【００４４】
次に、図５０に示す高周波ナイフ９２で全周切開を行う。即ち、２番目に配設されている取付取外機構部７３に、高周波ナイフ９２の処置部ユニット９１が収容されているので、この取付取外機構部７３の取付場４２に露出している溝部材２５ａ，２５ｂ及びフック部材２８に、挿入部ユニット８２の先端を係合させる。さらに、挿入部ユニット８２を収納溝３９の軸線方向で、かつ第２バネ３８を圧縮させる方向に押し込んで、挿入部ユニット８２の先端を被嵌部材２６内に挿入すると共に、処置部ユニット９１を前進させ、処置部ユニット９１の形状と、スリット４０の形状とを略一致させる。この状態で、挿入部ユニット８２を処置部ユニット９１と一緒に上方、つまり処置部ユニット９１の軸線と略直交する方向に引き上げ、処置部ユニット９１を取付取外機構部７３から取り外す。
そして、高周波ナイフ９２を内視鏡４３に挿通させ、通電しながら、既に初期切開が行われている部分を起点として、切除しようとする粘膜の全周を切開する。
【００４５】
ここで、高周波ナイフ９２では、粘膜下層を切開することが熟練を要するので、粘膜の全周切開を行った後に、高周波ナイフ９２を内視鏡４３から抜去し、フック型ナイフ９６による切開を行う。高周波ナイフ９２の処置部ユニット９１の取り外しは、２番目の取付取外機構部７３を用いて前記と同様にして行い、挿入部ユニット９１を未接続状態に戻す。さらに、３番目の取付取外機構部７３に収容されているフック型ナイフ９６の処置部ユニット９５に挿入部ユニット８２の先端を係合させつつ接続し、処置部ユニット９５を収納溝３９から取り出す。
フック型ナイフ９６の切開ナイフ部９７の屈曲させられた先端部を拡径部８７から突出させ、粘膜の全周の切開部分から粘膜下層に挿入して通電しながら切除し、粘膜を剥離させたら、この粘膜を図５４に示す把持鉗子１０１で回収する。フック型ナイフ９６の処置部ユニット９５の取り外しと、把持鉗子１０１の処置部ユニット１００の接続とは、前記の手順に従って行われる。把持部材１０２の開閉は、通電を停止させた状態でスライダ８を進退させることにより行い、一対の把持部材１０２の間に粘膜を把持したら、把持鉗子１０１を挿入したまま、内視鏡４３と共に体腔内から抜去する。
また、処置の途中で出血があった場合などには、図５７に示す高周波凝固子１０６の処置部ユニット１０５を挿入部ユニット８２に接続し、その焼灼部１０７で出血部位を焼灼し、止血する。なお、把持鉗子１０１で出血部位を挟み、その状態で通電することにより止血することもできる。
【００４６】
本実施形態によれば、１つの挿入部ユニット８２に対して、複数種類の処置部ユニット８０，９１，９５，１００，１０５を着脱自在に構成し、処置部ユニット８０，９１，９５，１００，１０５を交換できるようにしたので、介助者との間で内視鏡用処置具の受け渡しをする必要がなく、迅速な処置が行える。具体的には、生体組織の各種切除や、切除組織の回収、止血が行えるようになる。
また、収容装置７０に取付取外機構部７３を設け、処置部ユニット（たとえば、処置部ユニット８０）を収容すると共に、この取付取外機構部７３で、挿入部ユニット８２に処置部ユニットを取り付けられるようにし、取り外し時には反対の動作を行うことで取り外しができるようにしたので、簡単な構成で、内視鏡操作者（術者）が片手で取り付けや、取り外しを行えるようになる。
さらに、取付取外機構部７３を内視鏡４３の軸線回りに複数配列させ、複数種類の処置部ユニット８０，９１，９５，１００，１０５を使用する順番に収容したので、処置をスムーズに行うことができる。
【００４７】
なお、図６１に示す収容装置１１０のように、台部１１１に取付取外機構部７３を２つ有し、さらに台部１１１の両脇に引掛け部３４ａ，３４ｂを設けても良い。この場合には、必要に応じて、他の収容装置１１２を係合させることが可能になる。他の収容装置１１２は、引掛け部３４ａ，３４ｂを有する台部１１３に、複数の取付取外機構部７３が配列されている。
また、複数の取付取外機構部７３に同じ種類の処置部ユニット（例えば、処置部ユニット８０）を収容しても良い。処置部ユニット８０の処置部分が消耗したら交換することが可能になり、処置を迅速に行えるようになる。
【００４８】
図６２乃至図６５は本発明の第６実施形態を示すものである。
図６２に示すように、収容装置７０の台部７２には、取付取外機構部１１５が設けられている。取付取外機構部１１５には、収納溝１１６が形成されている。収納溝１１６は、取付場４２に連通する基端部に係止端３９ａが突設されている。さらに、収納溝１１６の先端部は、幅広になっており、ここにリトラクタ１１７が収容されている。リトラクタ１１７は、細長形状を有し、その基端部１１７ａが収納溝１１６の先端側に配置されている。基端部１１７ａには、支軸１１８が収納溝１１６の軸線と直交するように貫通している。また、図６３に示すように、基端部１１７ａの外面は、側面視で円弧状の曲面になっている。図６２に示すように、リトラクタ１１７は、その先端部１１７ｂ側に開口を有する凹部１１７ｃが設けられており、この凹部１１７ｃ内には、第２バネ３８が収容されている。第２バネ３８の一端は、基端部１１７ａの内面に固定されており、その他端には受け部３７が固定されている。受け部３７は、自然状態でリトラクタ１１７の開口から一部が突出するようになっている。
【００４９】
また、図６４に示すように、取付取外機構部１１５の収納溝１１６には、蓋体１２０が被されている。蓋体１２０は、スリット１２１を有し、このスリット１２１は処置部ユニット１００が通過可能で、処置部ユニット１００に類似した形状になっている。つまり、基端側から、被嵌部材２６が通過可能な大径部１２１ｃと、短シース８６が通過可能な細幅部１２１ａと、支持体１５及び把持部材１０２が通過可能な大径部１２１ｂとが形成されている。
ここで、スリット１２１の大径部１２１ｂは、リトラクタ１１７も通過可能に形成されている。このため、図６５に示すように、リトラクタ１１７は、支軸１１８を回動中心として、収納溝１１６及びスリット１２１から突出するように起き上がらせることができるようになっている。
【００５０】
次に、この取付取外機構部１１５の作用について説明する。
処置部ユニット１００を取付取外機構部１１５に収容する際には、図６５のようにリトラクタ１１７を起き上がらせた状態で、処置部ユニット８０の一対の把持部材１０２を受け部３７に押し当て、第２バネ３８を圧縮させる。これにより、受け部３７及び一対の把持部材１０２の先端がリトラクタ１１７内に入り込むので、この状態を維持させつつ、リトラクタ１１７が水平になるように、支軸１１８回りに回動させる。このとき、処置部ユニット１００は、リトラクタ１１７と共に、スリット１２１内を通過し、収納溝１１６に収容される。その後に、処置部ユニット１００から手を離すと、第２バネ３８が復元し、処置部ユニット１００が取付場４２側に移動させられ、図６２に示すように、溝部材２５ａ，２５ｂ及びフック部材２８が露出する。
【００５１】
また、挿入部ユニットに処置部ユニット１００を取り付ける際には、挿入部ユニット８２に溝部材２５ａ，２５Ｂなどを係合させた後に、挿入部ユニット８２ごと処置部ユニット１００をリトラクタ１１７側に押し込んで、第２バネ３８を圧縮しつつ、スリット１２１の形状と処置部ユニット１００の形状とを合わせる。この状態で、リトラクタ１１７を支軸１１８回りに回動させ、処置部ユニット１００をスリット１２１から抜き出す。
また、処置部ユニット１００を挿入部ユニット８２から取り外すときには、挿入部ユニット８２が取り付けられた状態で、取付取外機構部１１５への収容時と同様の動作を行う。処置部ユニット１００を収納溝１１６に収容させた後に第２バネ３８を復元させると、取付場４２に処置部ユニット１００と挿入部ユニット８２との係合部が露出するので、挿入部ユニット８２のみを引き上げると、挿入部ユニット８２が処置部ユニット１００から外れる。
【００５２】
本実施形態によれば、処置部ユニット１００の先端を受けつつ、処置部ユニット１００の溝部材２５ａ，２５ｂなどを露出させる受け部３７及び第２バネを、リトラクタ１１７に収容し、リトラクタ１１７を支軸１１８回りに起上自在にしたので、処置部ユニット１００を取付取外機構部１１５に収容したり、収容した処置部ユニット１００を取り出したりする動作が容易になる。このため、処置部ユニット１００の着脱がより容易になる。
なお、図６２乃至図６５には、把持鉗子１０１の処置部ユニット１００が収容された状態が図示されているが、その他の内視鏡用処置具の処置部ユニット（例えば、処置部ユニット８０）であっても収容することができる。
【００５３】
図６６は本発明の第７実施形態を示すものである。
この内視鏡１３０は、操作部１３１を有し、操作部１３１の先端には体腔内に挿入される挿入部１３５が設けられている。さらに、挿入部１３５内及び操作部１３１内には、処置具挿通チャンネルが形成されており、操作部１３１の下部側方には、処置具挿通チャンネルの鉗子口１３０ａが設けられている。鉗子口１３０ａの下方には、収容装置１３２が一体的に取り付けられている。収容装置１３２は、台部１３３を有し、台部１３３は操作部１３１の長さ方向に略直交するように延設されている。この台部１３３には、例えば３つの取付取外機構部７３が操作部１３１の軸線を中心とする円弧上に等間隔に配置されている。なお、1つ目の取付取外機構部７３は、鉗子口１３０ａの下方に配置されている。
【００５４】
この内視鏡１３０を使用する際には、処置を行う前に、必要な処置部ユニット（例えば、処置部ユニット８０）を選んで、内視鏡１３０の収容装置１３２に組み込んでおく。その他の作用は、第５実施形態における収容装置の作用と同様である。
本実施形態によれば、内視鏡１３０に収容装置１３２が一体的に設けられているので、準備段階で処置部ユニットを選択することになるので、手技に応じた様々な組み合わせが可能になる。その他の効果は、第５実施形態における収容装置７０の効果と同じ効果が、内視鏡において得られる。
【００５５】
なお、本発明は前記各実施形態に限定されずに広く応用することが可能である。
例えば、収容装置２９ｂ，４６，６１，７０，１１０に、収容装置２９ａ，１１２を連結させても良い。また、図６６に示す収容装置１３２に引掛け部３４ａ，３４ｂを設けて、他の収容装置２９ａ，１１２を連結させても良い。
収容装置２９ａ，２９，４６，６１の取付機構部３１ａに、リトラクタ１１７を設けても良い。
取付取外機構部７３，１１５は、処置部ユニットの取り付けのみ、又は取り外しのみに使用しても良い。
また、収容装置２９ａ，２９ｂ，４６，６１，７０，１１０，１１２は、取付部３５を有さなくても良い。この場合には、内視鏡４３から取り出した処置部ユニット（例えば、処置部ユニット８０）を、他の台などに載せた収容装置２９ａ，２９ｂ，４６，７０，１１０，１１２にて取り付け、取り外しを行うようにする。
さらに、収容装置２９ａ，２９ｂ，４６においては、回収ビン３２を別体で構成しても良い。この場合には、補助者は回収ビン３２のみを取り扱えば良くなる。この場合には、回収ビン３２を支柱３０に着脱自在に構成することが好ましい。
【図面の簡単な説明】
【００５６】
【図１】本発明の実施形態における処置具の使用状態を示す側面図である。
【図２】処置部ユニットと挿入部ユニットとを離脱させた状態を示す図である。
【図３】処置具の先端部分の一部を断面にした上面図である。
【図４】処置具の先端部分の一部を断面にした側面図である。
【図５】処置部ユニットを取り付ける手順を説明する図である。
【図６】処置部ユニットを取り付ける手順を説明する図であって、挿入部ユニットに係合させた状態を示す図である。
【図７】処置部ユニットを取り付ける手順を説明する図であって、挿入部ユニットに接続した状態を示す図である。
【図８】収容装置の構成を示す図である。
【図９】収容装置の構成を示す図である。
【図１０】２つの収容装置を係合させる場合を説明する図である。
【図１１】２つの収容装置を係合させた状態を示す図である。
【図１２】取付機構部の構成を示す分解図である。
【図１３】取付機構部に処置部ユニットを挿入した状態を示す図であって、蓋材を取り除いた状態を示す図である。
【図１４】取付機構部に処置部ユニットを挿入した状態を示す図である。
【図１５】収容装置を内視鏡に取り付けた状態を示す図である。
【図１６】２つの収容装置を内視鏡に取り付けた状態を示す図である。
【図１７】収容装置に収容された処置部ユニットに挿入部ユニットを取り付ける手順を説明する図である。
【図１８】収容装置に収容された処置部ユニットに挿入部ユニットが取り付けられた状態を説明する図である。
【図１９】処置部ユニットを取り付けた挿入部ユニットを押し込んだ状態を示す図である。
【図２０】処置部ユニットが押し込まれて、スリットの形状と略一致した状態を示す図である。
【図２１】挿入部ユニットに取り付けた処置部ユニットを収容装置から取り出した状態を示す図である。
【図２２】挿入部ユニットに取り付けた処置部ユニットを収容装置から取り出した状態を示す拡大図である。
【図２３】挿入部ユニットに取り付けた処置部ユニットを内視鏡に挿通させる手順を説明する図である。
【図２４】検体を採取した処置部ユニットを回収ビンに挿入する手順を説明する図である。
【図２５】検体を採取した処置部ユニットを回収ビンに挿入した状態を示す図である。
【図２６】挿入部ユニットを取外部のスリットに挿入した状態を示す図である。
【図２７】挿入部ユニットを取外部のスリットに挿入した状態を示す断面図である。
【図２８】挿入部ユニットを取外部のスリットに挿入した状態を示す断面図であって、挿入部ユニットを上方に引っ張って取付部を露出させた状態を示す図である。
【図２９】挿入部ユニットから処置部ユニットを取り外した状態を示す断面図である。
【図３０】挿入部ユニットから処置部ユニットを取り外した状態を示す図である。
【図３１】処置部ユニットを回収ビンに挿入したままで内視鏡から取り外した状態を示す図である。
【図３２】回収ピンに挿入された処置部ユニットの鉗子カップをピンで開かせた状態を示す図である。
【図３３】２つの収容装置を取り付けた場合において使用する順番を示す図である。
【図３４】１つ目の収容装置に組織を回収した後に、２つ目の収容装置から取り外した状態を示す図である。
【図３５】収容装置の構成を示す図である。
【図３６】図３５のＡ‐Ａ線に沿った断面図である。
【図３７】図３５のＡ‐Ａ線に沿った断面図であって、処置部ユニットを回収ビンに挿入した状態を示す図である。
【図３８】処置部ユニットを挿入した回収ビンを揺動させている図である。
【図３９】処置具としての細胞診ブラシの構成を示す図である。
【図４０】処置具の先端部分の拡大図である。
【図４１】取付機構部に処置部ユニットを挿入した状態を示す図であって、蓋材を取り除いた状態を示す図である。
【図４２】取付機構部に処置部ユニットを挿入した状態を示す図である。
【図４３】収容装置が取り付けられた内視鏡を示す図である。
【図４４】収容装置を内視鏡に取り付けた状態を示す図である。
【図４５】収容装置を示す図である。
【図４６】内視鏡用処置具の使用状態を示す図である。
【図４７】内視鏡用処置具の使用状態を示す図である。
【図４８】取付取外機構部の収納溝に処置部ユニットを挿入した状態を示す一部断面図である。
【図４９】取付取外機構部に処置部ユニットを挿入した状態を示す図である。
【図５０】内視鏡用処置具の使用状態を示す図である。
【図５１】取付取外機構部の収納溝に処置部ユニットを挿入した状態を示す一部断面図である。
【図５２】内視鏡用処置具の使用状態を示す図である。
【図５３】取付取外機構部の収納溝に処置部ユニットを挿入した状態を示す一部断面図である。
【図５４】内視鏡用処置具の使用状態を示す図である。
【図５５】取付取外機構部の収納溝に処置部ユニットを挿入した状態を示す一部断面図である。
【図５６】取付取外機構部に処置部ユニットを挿入した状態を示す図である。
【図５７】内視鏡用処置具の使用状態を示す図である。
【図５８】取付取外機構部の収納溝に処置部ユニットを挿入した状態を示す一部断面図である。
【図５９】挿入部ユニットに処置部ユニットを接続した状態で、処置部ユニットを取付取外機構部に挿入した状態を示す図である。
【図６０】挿入部ユニットに処置部ユニットを接続した状態で、処置部ユニットを取付取外機構部に挿入し、係合部分を露出させた状態を示す図である
【図６１】収容装置を示す図である。
【図６２】取付取外機構部の収納溝に処置部ユニットを挿入した状態を示す一部断面図である。
【図６３】図６２のＸ矢視断面図であって、処置部ユニットが挿入されていない状態を示す図である。
【図６４】取付取外機構部に処置部ユニットを挿入した状態を示す図である。
【図６５】図６３の状態からリトラクタを起上させた状態を示す図である。
【図６６】収容装置を備える内視鏡を示す図である。
【符号の説明】
【００５７】
１      生検鉗子（内視鏡用処置具）
２，８０，９１，９５，１００，１０５      処置部ユニット（先端処置部）
３，８２      挿入部ユニット（処置具挿入部）
６，８３      操作部
２５ａ，２５ｂ    溝部材（取付部）
２６    被嵌部材（被嵌部）
２７    第１バネ（第１の弾性部材）
２８    フック部材（取付部）
２９ａ，２９ｂ，４６，６１，７０，１１０，１１２，１３２    収容装置
３１ａ  取付機構部（取付機構）
３１ｂ  取外部（係止部）
３３    スリット（溝）
３４ａ，３４ｂ    引掛け部
３５    取付部（内視鏡取付部）
３８    第２バネ（第２の弾性部材）
４０    スリット
４３，６０，１３０    内視鏡
７３，１１５    取付取外機構部（取付機構、取外機構）
１１７    リトラクタ
１３１    操作部
１３５    挿入部
【図１】
2005328881.tif 000003
【図２】
2005328881.tif 000004
【図３】
2005328881.tif 000005
【図４】
2005328881.tif 000006
【図５】
2005328881.tif 000007
【図６】
2005328881.tif 000008
【図７】
2005328881.tif 000009
【図８】
2005328881.tif 000010
【図９】
2005328881.tif 000011
【図１０】
2005328881.tif 000012
【図１１】
2005328881.tif 000013
【図１２】
2005328881.tif 000014
【図１３】
2005328881.tif 000015
【図１４】
2005328881.tif 000016
【図１５】
2005328881.tif 000017
【図１６】
2005328881.tif 000018
【図１７】
2005328881.tif 000019
【図１８】
2005328881.tif 000020
【図１９】
2005328881.tif 000021
【図２０】
2005328881.tif 000022
【図２１】
2005328881.tif 000023
【図２２】
2005328881.tif 000024
【図２３】
2005328881.tif 000025
【図２４】
2005328881.tif 000026
【図２５】
2005328881.tif 000027
【図２６】
2005328881.tif 000028
【図２７】
2005328881.tif 000029
【図２８】
2005328881.tif 000030
【図２９】
2005328881.tif 000031
【図３０】
2005328881.tif 000032
【図３１】
2005328881.tif 000033
【図３２】
2005328881.tif 000034
【図３３】
2005328881.tif 000035
【図３４】
2005328881.tif 000036
【図３５】
2005328881.tif 000037
【図３６】
2005328881.tif 000038
【図３７】
2005328881.tif 000039
【図３８】
2005328881.tif 000040
【図３９】
2005328881.tif 000041
【図４０】
2005328881.tif 000042
【図４１】
2005328881.tif 000043
【図４２】
2005328881.tif 000044
【図４３】
2005328881.tif 000045
【図４４】
2005328881.tif 000046
【図４５】
2005328881.tif 000047
【図４６】
2005328881.tif 000048
【図４７】
2005328881.tif 000049
【図４８】
2005328881.tif 000050
【図４９】
2005328881.tif 000051
【図５０】
2005328881.tif 000052
【図５１】
2005328881.tif 000053
【図５２】
2005328881.tif 000054
【図５３】
2005328881.tif 000055
【図５４】
2005328881.tif 000056
【図５５】
2005328881.tif 000057
【図５６】
2005328881.tif 000058
【図５７】
2005328881.tif 000059
【図５８】
2005328881.tif 000060
【図５９】
2005328881.tif 000061
【図６０】
2005328881.tif 000062
【図６１】
2005328881.tif 000063
【図６２】
2005328881.tif 000064
【図６３】
2005328881.tif 000065
【図６４】
2005328881.tif 000066
【図６５】
2005328881.tif 000067
【図６６】
2005328881.tif 000068